(57)【要約】  【課題】  外部電気回路基板への接続が容易で、電解液が漏れ出たり、漏出した電解液により外部電気回路基板が損傷を受けたりすることがない電池用ケースおよび電池ならびに電気二重層キャパシタ用ケースおよび電気二重層キャパシタを提供する。  【解決手段】  電池用または電気二重層キャパシタ用のケースは、上面に凹部１ａ、下面に第一の導体層１ｄおよび第二の導体層１ｅが設けられたセラミックスから成る基体１と、凹部１ａの底面に形成された第一のメタライズ層１ｂと、段差１−Ａの上面に形成された第二のメタライズ層１ｃと、第一のメタライズ層１ｂから第一の導体層１ｄにかけておよび第二のメタライズ層１ｃから第二の導体層１ｅにかけて形成された第一の接続導体２ｂ，第二の接続導体２ｃと、凹部１ａを覆うようにして接合される板状の蓋体３とを具備し、基体１の底面は上に凸となるように反っているとともに蓋体３は下に凸となるように反っている。【選択図】  図１
2006128080.tif 000002
【特許請求の範囲】
【請求項１】
上面の中央部に凹部が形成され、下面に第一の導体層および第二の導体層が互いに独立して形成されたセラミックスから成る基体と、前記凹部の底面に形成された第一のメタライズ層と、前記凹部の内側面と底面との間に形成された段差の上面に形成された第二のメタライズ層と、前記第一のメタライズ層から前記第一の導体層にかけて形成された第一の接続導体と、前記第二のメタライズ層から前記第二の導体層にかけて形成された第二の接続導体と、前記凹部を覆うようにして接合される板状の蓋体とを具備しており、前記基体の底面は上に凸となるように反っているとともに前記蓋体は下に凸となるように反っていることを特徴とする電池用ケース。
【請求項２】
上面の中央部に凹部が形成され、下面に第一の導体層および第二の導体層が互いに独立して形成されたセラミックスから成る基体と、前記凹部の底面に形成された第一のメタライズ層と、前記基体の上面の前記凹部の周囲に形成された第二のメタライズ層と、前記第一のメタライズ層から前記第一の導体層にかけて形成された第一の接続導体と、前記第二のメタライズ層から前記第二の導体層にかけて形成された第二の接続導体と、前記凹部を覆うようにして接合されるとともに少なくとも下側主面が導電性とされた板状の蓋体とを具備しており、前記基体の底面は上に凸となるように反っているとともに前記蓋体は下に凸となるように反っていることを特徴とする電池用ケース。
【請求項３】
上面の中央部に凹部が形成され、下面に第一の導体層が形成されたセラミックスから成る基体と、前記凹部の底面に形成された第一のメタライズ層と、該第一のメタライズ層から前記第一の導体層にかけて形成された第一の接続導体と、前記凹部を覆うようにして接合されるとともに導電性部材から成る板状の蓋体とを具備しており、前記基体の底面は上に凸となるように反っているとともに前記蓋体は下に凸となるように反っていることを特徴とする電池用ケース。
【請求項４】
請求項１記載の電池用ケースと、前記第一のメタライズ層の上面に載置されて電気的に接続された正電極板と、該正電極板の上面に電解液を含浸した絶縁シートを介して密着するように載置されるとともに一端部が前記第二のメタライズ層に電気的に接続された負電極板と、下側主面が前記負電極板に当接されるとともに前記凹部を覆うようにして前記基体の上面に接合された前記蓋体とを具備していることを特徴とする電池。
【請求項５】
請求項２記載の電池用ケースと、前記第一のメタライズ層の上面に載置されて電気的に接続された正電極板と、該正電極板の上面に電解液を含浸した絶縁シートを介して密着するように載置された負電極板と、前記凹部を覆うようにして前記基体の上面に接合されるとともに下側主面が前記負電極板に当接されて電気的に接続され、下側主面の外周部が前記第二のメタライズ層に接合されて電気的に接続された前記蓋体とを具備していることを特徴とする電池。
【請求項６】
請求項３記載の電池用ケースと、前記第一のメタライズ層の上面に載置されて電気的に接続された正電極板と、該正電極板の上面に電解液を含浸した絶縁シートを介して密着するように載置された負電極板と、前記凹部を覆うようにして前記基体の上面に接合されるとともに下側主面が前記負電極板に当接されて電気的に接続された前記蓋体とを具備していることを特徴とする電池。
【請求項７】
前記正電極板は、前記第一のメタライズ層の上面を覆うように接着された導電性粒子を含有する樹脂層を介して前記第一のメタライズ層に電気的に接続されていることを特徴とする請求項４乃至請求項６のいずれかに記載の電池。
【請求項８】
上面の中央部に凹部が形成され、下面に第一の導体層および第二の導体層が互いに独立して形成されたセラミックスから成る基体と、前記凹部の底面に形成された第一のメタライズ層と、前記凹部の内側面と底面との間に形成された段差の上面に形成された第二のメタライズ層と、前記第一のメタライズ層から前記第一の導体層にかけて形成された第一の接続導体と、前記第二のメタライズ層から前記第二の導体層にかけて形成された第二の接続導体と、前記凹部を覆うようにして接合される板状の蓋体とを具備しており、前記基体の底面は上に凸となるように反っているとともに前記蓋体は下に凸となるように反っていることを特徴とする電気二重層キャパシタ用ケース。
【請求項９】
上面の中央部に凹部が形成され、下面に第一の導体層および第二の導体層が互いに独立して形成されたセラミックスから成る基体と、前記凹部の底面に形成された第一のメタライズ層と、前記基体の上面の前記凹部の周囲に形成された第二のメタライズ層と、前記第一のメタライズ層から前記第一の導体層にかけて形成された第一の接続導体と、前記第二のメタライズ層から前記第二の導体層にかけて形成された第二の接続導体と、前記凹部を覆うようにして接合されるとともに少なくとも下側主面が導電性とされた板状の蓋体とを具備しており、前記基体の底面は上に凸となるように反っているとともに前記蓋体は下に凸となるように反っていることを特徴とする電気二重層キャパシタ用ケース。
【請求項１０】
上面の中央部に凹部が形成され、下面に第一の導体層が形成されたセラミックスから成る基体と、前記凹部の底面に形成された第一のメタライズ層と、該第一のメタライズ層から前記第一の導体層にかけて形成された第一の接続導体と、前記凹部を覆うようにして接合されるとともに導電性部材から成る板状の蓋体とを具備しており、前記基体の底面は上に凸となるように反っているとともに前記蓋体は下に凸となるように反っていることを特徴とする電気二重層キャパシタ用ケース。
【請求項１１】
請求項８記載の電気二重層キャパシタ用ケースと、前記第一のメタライズ層の上面に載置されて電気的に接続された第一の電極と、該第一の電極の上面に電解液を含浸した絶縁シートを介して密着するように載置されるとともに一端部が前記第二のメタライズ層に電気的に接続された第二の電極と、下側主面が前記第二の電極に当接されるとともに前記凹部を覆うようにして前記基体の上面に接合された前記蓋体とを具備していることを特徴とする電気二重層キャパシタ。
【請求項１２】
請求項９記載の電気二重層キャパシタ用ケースと、前記第一のメタライズ層の上面に載置されて電気的に接続された第一の電極と、該第一の電極の上面に電解液を含浸した絶縁シートを介して密着するように載置された第二の電極と、前記凹部を覆うようにして前記基体の上面に接合されるとともに下側主面が前記第二の電極に当接されて電気的に接続され、下側主面の外周部が前記第二のメタライズ層に接合されて電気的に接続された前記蓋体とを具備していることを特徴とする電気二重層キャパシタ。
【請求項１３】
請求項１０記載の電気二重層キャパシタ用ケースと、前記第一のメタライズ層の上面に載置されて電気的に接続された第一の電極と、該第一の電極の上面に電解液を含浸した絶縁シートを介して密着するように載置された第二の電極と、前記凹部を覆うようにして前記基体の上面に接合されるとともに下側主面が前記第二の電極に当接されて電気的に接続された前記蓋体とを具備していることを特徴とする電気二重層キャパシタ。
【請求項１４】
前記第一の電極は、前記第一のメタライズ層の上面を覆うように接着された導電性粒子を含有する樹脂層を介して前記第一のメタライズ層に電気的に接続されていることを特徴とする請求項１１乃至請求項１３のいずれかに記載の電気二重層キャパシタ。
【発明の詳細な説明】
【技術分野】
【０００１】
本発明は、携帯電話などの小型電子機器に用いられる薄型の電池用ケースおよび電池ならびに電気二重層キャパシタ用ケースおよび電気二重層キャパシタに関する。
【背景技術】
【０００２】
近年、携帯電話や携帯型コンピュータ、カメラ一体型ビデオテープレコーダー等に代表される携帯機器が目覚しく発達するとともに、より一層の小型化、軽量化が求められる傾向にある。そして、これらの携帯機器の電源としての電池の需要も増加の一途をたどるとともに、電池のエネルギー密度を高めることによる小型軽量化の研究が活発に行われている。特に、リチウム電池は、原子量が小さくかつイオン化エネルギーが大きなリチウムを用いる電池であることから、高エネルギー密度を得ることができて小型軽量化が図れ、さらに再充電が可能な電池とできることより盛んに研究され、現在にいたっては携帯機器の電源をはじめとする広範囲な用途に用いられるようになってきた。
【０００３】
また、電池には、大きく分けて円筒型と角型があり、その構造は正極と負極とを絶縁シートから成るセパレータを介して金属製の電槽缶内に収容し、そこに電解液が注入されて封口された構造とされている。
【０００４】
リチウム電池の正極には、例えば金属酸化物を正極活物質としてこれに導電材を添加したものが一般的に使用される。この正極活物質としては例えばコバルト酸リチウム（ＬｉＣｏＯ２）やマンガン酸リチウム（ＬｉＭｎ２Ｏ４）などが使用され、また、導電材としては例えばアセチレンブラック（ＡＢ）や黒鉛などが使用される。電池の負極には、チタン酸リチウム（Ｌｉ４Ｔｉ５Ｏ12）などのリチウムチタン複合酸化物やグラファイトまたは非晶質炭素などの活物質を樹脂で固めたものが使用される。
【０００５】
リチウム電池においては、このＬｉＣｏＯ２やＬｉＭｎ２Ｏ４などから成る正極活物質の充放電電圧が約４Ｖであり、これに対して炭素材料などから成る負極活物質の充放電電圧は０Ｖ付近であることから、これらの正極活物質と負極活物質と電解液とを組み合わせることによって約3.5Ｖの高放電電圧を達成している。
【０００６】
電池の正極は上記活物質に上記導電材を加え、さらにポリテトラフルオロエチレンやポリフッ化ビニリデンなどのバインダを添加、混合してスラリー状となし、これを周知のドクターブレード法を用いてシート状に成形し、次いでこのシートを例えば円形状に裁断して作製される。
【０００７】
また負極は上記活物質に、正極と同様にポリテトラフルオロエチレンやポリフッ化ビニリデンなどのバインダを添加、混合してスラリー状となし、これを周知のドクターブレード法を用いてシート状に成形し、次いでこのシートを例えば円形状に裁断して作製される。
【０００８】
そして、このようにして作製された正極および負極をその間に耐熱温度が約150℃のポリオレフィン繊維製の不織布やポリオレフィン製の微多孔膜などからなるセパレータを介して電槽缶内に収容し、電解液を注入して電池が得られる。
【０００９】
そして、このようにして作製される電池をさらに小型化、高密度化するために、図９に示すコイン型の電池Ａが開発されている。
【００１０】
この従来の電池Ａは、円板状の正極11ｂを備えた例えばステンレスからなる正極缶11と、円板状の負極12ｂを備えた例えばステンレスからなる負極缶12とを電解液を含浸させたセパレータ14を介して対置させ、次いで例えば絶縁性のポリプロピレン樹脂からなるガスケット15を介して正極缶11の周囲と負極缶12の周囲とをかしめるようにして一体に結合させた電槽缶構造とされている。正極11ｂおよび負極12ｂにおける充放電は正極缶11および負極缶12に取着した外部接続端子部材を介して行われる（例えば、下記の特許文献１，２参照）。
【００１１】
また、電気二重層キャパシタにおいても、電気二重層用キャパシタを小型化、高密度化するために、上記電池と同様の図９に示す形状の、内部に電解液が封入された第一の電極缶11と第二の電極缶12とをかしめて形成されたコイン型の電気二重層キャパシタＡが開発されている。
【００１２】
この電気二重層キャパシタＡは、円板状の第一の電極11ｂを備えた例えばステンレスから成る第一の電極缶11と、第二の電極12ｂを備えた例えばステンレスから成る第二の電極缶12とを、電解液を含有するセパレータ14を第一の電極11ｂと第二の電極12ｂとの間に挟んだ状態で、第一の電極缶11の縁と第二の電極缶12の縁とをガスケット15を介して互いにかしめて接合することで形成されている。第一の電極11ｂおよび第二の電極12ｂにおける充放電は第一の電極缶11および第二の電極缶12に取着した外部接続端子部材を介して行われる（例えば、下記の特許文献３，４参照）。
【特許文献１】特開2000−106195号公報（第６−12頁、図1）
【特許文献２】特開2002−198019号公報（第３−４頁、図１）
【特許文献３】特開2002−50551号公報
【特許文献４】特開2003−100569号公報
【発明の開示】
【発明が解決しようとする課題】
【００１３】
しかしながら、特許文献１，２に示されるような従来の電池Ａまたは電気二重層キャパシタＡは、長期間に亘って温度幅が百数十度という温度サイクル試験（例えば−40℃〜85℃）に曝されると、例えばポリプロピレン樹脂からなるガスケット15と正極缶11と負極缶12との熱膨張率の差によりガスケット15を介して正極缶11および負極缶12の周囲をかしめた電槽缶の結合部位に隙間が生じて電解液が漏れ出す場合があり、これにより電池Ａまたは電気二重層キャパシタＡの性能を劣化させたり、さらに漏れ出た電解液により外部電気回路基板上の銅（Ｃｕ）配線が腐食して断線させるといった不具合が発生したり、あるいは、この隙間から水分が電池Ａまたは電気二重層キャパシタＡ内部に侵入して性能を劣化させるという不具合が発生していた。
【００１４】
さらには、従来の電池Ａまたは電気二重層キャパシタＡは容器がステンレスからなるため、熱伝導率が高く、電池Ａまたは電気二重層キャパシタＡ内部が外部の温度の影響を受けやすく、性能が劣化し易いという問題点もあった。すなわち、電池Ａまたは電気二重層キャパシタＡ外部の温度が上昇した場合、電解液が外部の温度変化に追従して大きく温度変化し易く、所望の性能を発揮させることができなかった。
【００１５】
従って、本発明は上記問題点に鑑みて完成されたものであり、その目的は、長期間の使用により電槽缶の結合部位に隙間が生じることにより電解液が漏れ出して電池性能を劣化させたり、漏出した電解液により外部電気回路基板が損傷を受けたりすることがなく、外部電気回路基板への接続が容易で、電池または電気二重層キャパシタの性能が周囲の温度変化に影響され難い量産性に優れた電池用ケースおよび電池ならびに電気二重層キャパシタ用ケースおよび電気二重層キャパシタを提供することにある。
【課題を解決するための手段】
【００１６】
本発明の第一の電池用ケースは、上面の中央部に凹部が形成され、下面に第一の導体層および第二の導体層が互いに独立して形成されたセラミックスから成る基体と、前記凹部の底面に形成された第一のメタライズ層と、前記凹部の内側面と底面との間に形成された段差の上面に形成された第二のメタライズ層と、前記第一のメタライズ層から前記第一の導体層にかけて形成された第一の接続導体と、前記第二のメタライズ層から前記第二の導体層にかけて形成された第二の接続導体と、前記凹部を覆うようにして接合される板状の蓋体とを具備しており、前記基体の底面は上に凸となるように反っているとともに前記蓋体は下に凸となるように反っていることを特徴とするものである。
【００１７】
また、本発明の第二の電池用ケースは、上面の中央部に凹部が形成され、下面に第一の導体層および第二の導体層が互いに独立して形成されたセラミックスから成る基体と、前記凹部の底面に形成された第一のメタライズ層と、前記基体の上面の前記凹部の周囲に形成された第二のメタライズ層と、前記第一のメタライズ層から前記第一の導体層にかけて形成された第一の接続導体と、前記第二のメタライズ層から前記第二の導体層にかけて形成された第二の接続導体と、前記凹部を覆うようにして接合されるとともに少なくとも下側主面が導電性とされた板状の蓋体とを具備しており、前記基体の底面は上に凸となるように反っているとともに前記蓋体は下に凸となるように反っていることを特徴とするものである。
【００１８】
また、本発明の第三の電池用ケースは、上面の中央部に凹部が形成され、下面に第一の導体層が形成されたセラミックスから成る基体と、前記凹部の底面に形成された第一のメタライズ層と、この第一のメタライズ層から前記第一の導体層にかけて形成された第一の接続導体と、前記凹部を覆うようにして接合されるとともに導電性部材から成る板状の蓋体とを具備しており、前記基体の底面は上に凸となるように反っているとともに前記蓋体は下に凸となるように反っていることを特徴とするものである。
【００１９】
本発明の第一の電池は、上記構成の第一の電池用ケースと、前記第一のメタライズ層の上面に載置されて電気的に接続された正電極板と、この正電極板の上面に電解液を含浸した絶縁シートを介して密着するように載置されるとともに一端部が前記第二のメタライズ層に電気的に接続された負電極板と、下側主面が前記負電極板に当接されるとともに前記凹部を覆うようにして前記基体の上面に接合された前記蓋体とを具備していることを特徴とするものである。
【００２０】
また、本発明の第二の電池は、上記構成の第二の電池用ケースと、前記第一のメタライズ層の上面に載置されて電気的に接続された正電極板と、この正電極板の上面に電解液を含浸した絶縁シートを介して密着するように載置された負電極板と、前記凹部を覆うようにして前記基体の上面に接合されるとともに下側主面が前記負電極板に当接されて電気的に接続され、下側主面の外周部が前記第二のメタライズ層に接合されて電気的に接続された前記蓋体とを具備していることを特徴とするものである。
【００２１】
また、本発明の第三の電池は、上記構成の第三の電池用ケースと、前記第一のメタライズ層の上面に載置されて電気的に接続された正電極板と、この正電極板の上面に電解液を含浸した絶縁シートを介して密着するように載置された負電極板と、前記凹部を覆うようにして前記基体の上面に接合されるとともに下側主面が前記負電極板に当接されて電気的に接続された前記蓋体とを具備していることを特徴とするものである。
【００２２】
さらに本発明の電池は、上記構成の第一乃至第三の電池において、好ましくは、前記正電極板は、前記第一のメタライズ層の上面を覆うように接着された導電性粒子を含有する樹脂層を介して前記第一のメタライズ層に電気的に接続されていることを特徴とするものである。
【００２３】
本発明の第一の電気二重層キャパシタ用ケースは、上面の中央部に凹部が形成され、下面に第一の導体層および第二の導体層が互いに独立して形成されたセラミックスから成る基体と、前記凹部の底面に形成された第一のメタライズ層と、前記凹部の内側面と底面との間に形成された段差の上面に形成された第二のメタライズ層と、前記第一のメタライズ層から前記第一の導体層にかけて形成された第一の接続導体と、前記第二のメタライズ層から前記第二の導体層にかけて形成された第二の接続導体と、前記凹部を覆うようにして接合される板状の蓋体とを具備しており、前記基体の底面は上に凸となるように反っているとともに前記蓋体は下に凸となるように反っていることを特徴とする。
【００２４】
本発明の第二の電気二重層キャパシタ用ケースは、上面の中央部に凹部が形成され、下面に第一の導体層および第二の導体層が互いに独立して形成されたセラミックスから成る基体と、前記凹部の底面に形成された第一のメタライズ層と、前記基体の上面の前記凹部の周囲に形成された第二のメタライズ層と、前記第一のメタライズ層から前記第一の導体層にかけて形成された第一の接続導体と、前記第二のメタライズ層から前記第二の導体層にかけて形成された第二の接続導体と、前記凹部を覆うようにして接合されるとともに少なくとも下側主面が導電性とされた板状の蓋体とを具備しており、前記基体の底面は上に凸となるように反っているとともに前記蓋体は下に凸となるように反っていることを特徴とする。
【００２５】
本発明の第三の電気二重層キャパシタ用ケースは、上面の中央部に凹部が形成され、下面に第一の導体層が形成されたセラミックスから成る基体と、前記凹部の底面に形成された第一のメタライズ層と、該第一のメタライズ層から前記第一の導体層にかけて形成された第一の接続導体と、前記凹部を覆うようにして接合されるとともに導電性部材から成る板状の蓋体とを具備しており、前記基体の底面は上に凸となるように反っているとともに前記蓋体は下に凸となるように反っていることを特徴とする。
【００２６】
本発明の第一の電気二重層キャパシタは、上記構成の第一の電気二重層キャパシタ用ケースと、前記第一のメタライズ層の上面に載置されて電気的に接続された第一の電極と、該第一の電極の上面に電解液を含浸した絶縁シートを介して密着するように載置されるとともに一端部が前記第二のメタライズ層に電気的に接続された第二の電極と、下側主面が前記第二の電極に当接されるとともに前記凹部を覆うようにして前記基体の上面に接合された前記蓋体とを具備していることを特徴とする。
【００２７】
本発明の第二の電気二重層キャパシタは、上記構成の第二の電気二重層キャパシタ用ケースと、前記第一のメタライズ層の上面に載置されて電気的に接続された第一の電極と、該第一の電極の上面に電解液を含浸した絶縁シートを介して密着するように載置された第二の電極と、前記凹部を覆うようにして前記基体の上面に接合されるとともに下側主面が前記第二の電極に当接されて電気的に接続され、下側主面の外周部が前記第二のメタライズ層に接合されて電気的に接続された前記蓋体とを具備していることを特徴とする。
【００２８】
本発明の第三の電気二重層キャパシタは、上記構成の第三の電気二重層キャパシタ用ケースと、前記第一のメタライズ層の上面に載置されて電気的に接続された第一の電極と、該第一の電極の上面に電解液を含浸した絶縁シートを介して密着するように載置された第二の電極と、前記凹部を覆うようにして前記基体の上面に接合されるとともに下側主面が前記第二の電極に当接されて電気的に接続された前記蓋体とを具備していることを特徴とする。
【００２９】
さらに本発明の電気二重層キャパシタは、前記第一の電極は、前記第一のメタライズ層の上面を覆うように接着された導電性粒子を含有する樹脂層を介して前記第一のメタライズ層に電気的に接続されていることを特徴とする。
【発明の効果】
【００３０】
本発明の第一の電池用ケースまたは電気二重層キャパシタ用ケースは、上面の中央部に直方体状の凹部が形成され、下面に第一の導体層および第二の導体層が互いに独立して形成されたセラミックスから成る基体と、凹部の底面に形成された第一のメタライズ層と、凹部の内側面と底面との間に形成された段差の上面に形成された第二のメタライズ層と、第一のメタライズ層から第一の導体層にかけて形成された第一の接続導体と、第二のメタライズ層から第二の導体層にかけて形成された第二の接続導体と、凹部を覆うようにして接合される板状の蓋体とを具備しており、基体の底面は上に凸となるように反っているとともに蓋体は下に凸となるように反っていることから、電解液が気密性に優れるとともに耐熱性に優れるセラミックスから成る基体によって収容されることとなり、電解液を良好に収容することができ、温度サイクル試験に曝された場合でも隙間が生じて電解液が漏れることがない。また、気密性が維持されるので、電池または電気二重層キャパシタの性能を劣化させる水分や酸素等が外部から電解液中に侵入するのを有効に抑制することができる。
【００３１】
また、蓋体は下に凸となるように反っている部位を電池用ケースまたは電気二重層キャパシタ用ケースの内部に収容する電極板などの電池または電気二重層キャパシタ要素に当接させて上方から押さえることができ、これらの内部要素との電気的接続を確実に行なうように保持することができる。また、蓋体が下に凸となるように反っていることから、蓋体を上下方向に弾性変形させ易くすることができ、内部要素の全体や部分的に偏った厚みのばらつきがあっても内部要素を確実に上方から押さえて固定させることができる。
【００３２】
また、基体の下面に第一の導体層および第二の導体層が設けられていることにより、第一および第二の導体層を外部電気回路基板の表面の配線導体に半田を介して接合させることによって、平板状の外部電気回路基板の配線導体と電池または電気二重層キャパシタとを容易に接続させることができるので、外部電気回路基板の量産性に非常に優れたものとなる。
【００３３】
さらに、第一の導体層および第二の導体層は、基体の底面が上に凸となるように反っていることによって、第一の導体層および第二の導体層を外部電気回路基板の表面の配線導体に半田を介して接合させた際に、外部電気回路基板が反っていても電池用ケースを容易に半田を介して接合させることができるとともに、余分な半田が基体の外側に流れ出そうとするのを防止して、基体の底面の上に凸となるように反っている部分と外部電気回路基板との間の空間に溜めることが可能となる。その結果、余分な半田が基体の底面から外側に流れ出て外部電気回路基板に電気的短絡を発生させることがない。また、基体の底面の下方に溜まった半田によって、第一の導体層および第二の導体層を外部電気回路基板に強固に固定させることができるようになる。
【００３４】
また、本発明の第二の電池用ケースまたは電気二重層キャパシタ用ケースによれば、本発明の第一の電池用ケースまたは電気二重層キャパシタ用ケースの作用効果に加えて、基体の上面の凹部の周囲に形成された第二のメタライズ層を具備していることから、凹部の内側面と底面との間に形成された段差の形成を省略できるので、凹部の内側を広く有効に活用することができ、電池用ケースの外形を小型化することができる。
【００３５】
さらに、本発明の第三の電池用ケースまたは電気二重層キャパシタ用ケースによれば、本発明の第一および第二の電池用ケースまたは電気二重層キャパシタ用ケースの作用効果に加えて、凹部を覆うようにして接合されるとともに導電性部材から成る板状の蓋体を具備していることから、蓋体を電極に併用することができ、凹部の内側面と底面との間に形成された段差，第二のメタライズ層，第二の導体層，および第二の接続導体の形成を省略できるので、基体を小型化できるとともに基体の製造工程を簡略化でき量産に適するものとすることができる。
【００３６】
本発明の第一の電池は、上記構成の第一の電池用ケースと、第一のメタライズ層の上面に載置されて電気的に接続された正電極板と、正電極板の上面に電解液を含浸した絶縁シートを介して密着するように載置されるとともに一端部が第二のメタライズ層に電気的に接続された負電極板と、下側主面が負電極板に当接されるとともに凹部を覆うようにして基体の上面に接合された蓋体とを具備していることにより、上記構成の第一の電池用ケースを用いた気密信頼性が高く、量産性に優れるものとなる。また、所望の電池性能を発揮させることができ、信頼性が高く、長期間にわたって安定して充放電することができるものとなる。
【００３７】
また、本発明の第二の電池によれば、本発明の第一の電池の作用効果に加えて、少なくとも下側主面が導電性とされた蓋体の広い面積を有する下側主面が負電極板に当接されて電気的に接続され、下側主面の外周部が第二のメタライズ層に接合されて電気的に接続されることによって、負電極板と蓋体との間の抵抗を少なくすることができ、負電極板と蓋体との間で電気的損失を発生させることなく効率よく充放電させることができるので、電気的特性に優れたものとできる。
【００３８】
さらに、本発明の第三の電池によれば、本発明の第一および第二の電池の作用効果に加えて、凹部を覆うようにして基体の上面に接合されるとともに下側主面が負電極板に当接されて電気的に接続された導電性部材から成る蓋体を具備していることから、蓋体の下側主面が負電極板と当接されて電気的に接続されることによって負電極板と蓋体との間の抵抗を少なくすることができ、負電極板と蓋体との間で電気的損失を発生させることなく効率よく充放電させることができるので、電気的特性に優れた電池とできるとともに、蓋体を電池の負電極として機能させることができ、外部接続端子部材を電池の上下から挟み込むようにして接続させて、外部接続端子部材に接続できる小型電池となる。
【００３９】
本発明の電池は、上記第一乃至第三の電池の構成において、好ましくは、正電極板は、第一のメタライズ層の上面を覆うように接着された導電性粒子を含有する樹脂層を介して第一のメタライズ層に電気的に接続されていることにより、腐食性の電解液が樹脂層に遮られて第一のメタライズ層に接触しなくなり、第一のメタライズ層の電解液に対する表面保護を簡素なものにすることができる。
【００４０】
また、電解液が第一のメタライズ層の形成部位に浸入しにくくなるので、電解液が第一のメタライズ層の形成部位から第一の内部導体を通じて外部に漏出するのを有効に防止することができる。
【００４１】
また、樹脂層が弾性を有することから、正電極板を基体に強く押し付けたとしても樹脂層で緩衝されて、基体または正電極板が破損するのを有効に防止できる。
【００４２】
その結果、電池を長期にわたって使用する場合や振動等の外力が加わる条件下で使用する場合においても、樹脂層上に正電極板を接着することで、電池要素の位置ズレと破損を確実に防止することができ、本発明の電池用ケースを用いた電池を所定の電池性能で長期にわたってより正常かつ安定に作動させることができる。
【００４３】
本発明の第一の電気二重層キャパシタは、上記構成の第一の電気二重層キャパシタ用ケースと、第一のメタライズ層の上面に載置されて電気的に接続された第一の電極と、第一の電極の上面に電解液を含浸した絶縁シートを介して密着するように載置されるとともに一端部が第二のメタライズ層に電気的に接続された第二の電極と、下側主面が第二の電極に当接されるとともに凹部を覆うようにして基体の上面に接合された蓋体とを具備していることにより、上記構成の第一の電気二重層キャパシタ用ケースを用いた気密信頼性が高く、量産性に優れるものとなる。また、所望の電気二重層キャパシタ性能を発揮させることができ、信頼性が高く、長期間にわたって安定して充放電することができるものとなる。
【００４４】
また、本発明の第二の電気二重層キャパシタによれば、本発明の第一の電気二重層キャパシタの作用効果に加えて、少なくとも下側主面が導電性とされた蓋体の広い面積を有する下側主面が第二の電極に当接されて電気的に接続され、下側主面の外周部が第二のメタライズ層に接合されて電気的に接続されることによって、第二の電極と蓋体との間の抵抗を少なくすることができ、第二の電極と蓋体との間で電気的損失を発生させることなく効率よく充放電させることができるので、電気的特性に優れたものとできる。
【００４５】
さらに、本発明の第三の電気二重層キャパシタによれば、本発明の第一および第二の電気二重層キャパシタの作用効果に加えて、凹部を覆うようにして基体の上面に接合されるとともに下側主面が第二の電極に当接されて電気的に接続された導電性部材から成る蓋体を具備していることから、蓋体の下側主面が第二の電極と当接されて電気的に接続されることによって第二の電極と蓋体との間の抵抗を少なくすることができ、第二の電極と蓋体との間で電気的損失を発生させることなく効率よく充放電させることができるので、電気的特性に優れた電池とできるとともに、蓋体を電気二重層キャパシタの電極として機能させることができ、外部接続端子部材を電池の上下から挟み込むようにして接続させて、外部接続端子部材に接続できる小型電気二重層キャパシタとなる。
【００４６】
本発明の電気二重層キャパシタは、上記第一乃至第三の電気二重層キャパシタの構成において、好ましくは、第一の電極は、第一のメタライズ層の上面を覆うように接着された導電性粒子を含有する樹脂層を介して第一のメタライズ層に電気的に接続されていることにより、腐食性の電解液が樹脂層に遮られて第一のメタライズ層に接触しなくなり、第一のメタライズ層の電解液に対する表面保護を簡素なものにすることができる。
【００４７】
また、電解液が第一のメタライズ層の形成部位に浸入しにくくなるので、電解液が第一のメタライズ層の形成部位から第一の内部導体を通じて外部に漏出するのを有効に防止することができる。
【００４８】
また、樹脂層が弾性を有することから、第一の電極を基体に強く押し付けたとしても樹脂層で緩衝されて、基体または第一の電極が破損するのを有効に防止できる。
【００４９】
その結果、電気二重層キャパシタを長期にわたって使用する場合や振動等の外力が加わる条件下で使用する場合においても、樹脂層上に第一の電極を接着することで、電気二重層キャパシタ要素の位置ズレと破損を確実に防止することができ、本発明の電気二重層キャパシタ用ケースを用いた電気二重層キャパシタを所定の電気二重層キャパシタ性能で長期にわたってより正常かつ安定に作動させることができる。
【発明を実施するための最良の形態】
【００５０】
本発明の電池用ケースまたは電気二重層キャパシタ用ケースについて電池用ケースを例にして以下に詳細に説明する。図１において、（ａ）は本発明の電池用ケースの実施の形態の一例を示す断面図であり、（ｂ）は（ａ）の電池用ケースの平面図を示す。
【００５１】
本発明の電池用ケースは、上面の中央部に直方体状，角柱状または円柱状等の凹部１ａが形成され、下面に第一の導体層１ｄおよび第二の導体層１ｅが互いに独立して設けられたセラミックスから成る基体１と、凹部１ａの底面に形成された第一のメタライズ層１ｂと、凹部１ａの内側面と底面との間に形成された段差１−Ａの上面に形成された第二のメタライズ層１ｃと、第一のメタライズ層１ｂから第一の導体層１ｄにかけて形成された第一の接続導体２ｂと、第二のメタライズ層１ｃから第二の導体層１ｅにかけて形成された第二の接続導体２ｃと、凹部１ａを覆うようにして接合される板状の蓋体３とを具備しており、基体１の底面は上に凸となるように反っているとともに蓋体３は下に凸となるように反っている。
【００５２】
また、図５は図１の電池用ケースを用いた本発明の電池の実施の形態の一例を示し、図１と共通する部位には共通の符号が付されている。なお、Ｂ−１は第一のメタライズ層１ｂの上面に載置されて電気的に接続された正電極板、Ｂ−２は正電極板Ｂ−１の上面に電解液Ｂ−４を含浸した絶縁シートＢ−３を介して密着するように載置されるとともに一端部が第二のメタライズ層１ｃに電気的に接続された負電極板を示す。
【００５３】
なお、本発明の電池用ケースは、平面視において四角形、円形、多角形のいずれでもよい。四角形の場合は、それぞれ四角形領域に区分して部品配置が設計される外部電気回路基板の設計がし易くなり、多角形の場合は、部品配置がされた基板の残りの領域に配置されてもよい自由形状のケースとできる。また、円形や楕円形の場合は、外部圧力に対する耐圧性が向上する。
【００５４】
図１においては、基体１の凹部１ａの底面に第一のメタライズ層１ｂが形成されるとともに凹部１ａの内側面と底面との間に段差１−Ａが形成され、段差１−Ａの上面に第二のメタライズ層１ｃが形成されており、第一および第二の導体層１ｄ，１ｅが基体１の底面の外周部から基体１の底面の中央部に向かって上に凸に反るとともに電気的に接続しないように独立して形成されている形態を示す。
【００５５】
第一および第二の導体層１ｄ，１ｅが基体１の下面に形成されて設けられていることにより、第一および第二の導体層１ｄ，１ｅを外部電気回路基板（図示せず）の表面の配線導体に半田を介して接合させることによって、平板状の外部電気回路基板の配線導体と電池とを容易に接続させることができるので、外部電気回路基板の量産性がよくなる。
【００５６】
さらに、第一の導体層１ｄおよび第二の導体層１ｅは、基体１の底面が上に凸となるように反っていることによって、第一の導体層１ｄおよび第二の導体層１ｅを外部電気回路基板の表面の配線導体に半田を介して接合させた際に、外部電気回路基板が反っていても電池用ケースを容易に半田を介して接合させることができるとともに、余分な半田が基体１の外側に流れ出そうとするのを防止して、基体１の底面の上に凸となるように反っている部分に形成されている第一および第二の導体層１ｄ，１ｅと外部電気回路基板の配線導体との間の空間に溜めることが可能となる。その結果、余分な半田が基体１の底面から外側に流れ出て外部電気回路基板に電気的短絡を発生させることがない。また、基体１の底面の下方に溜まった半田によって、第一の導体層１ｄおよび第二の導体層１ｅを外部電気回路基板に強固に固定させることができるようになる。
【００５７】
このような基体１は、アルミナ質焼結体や窒化アルミニウム質焼結体，ムライト質焼結体等のセラミックスから成り、以下のようにして作製される。例えば、基体１がアルミナ質焼結体から成る場合、酸化アルミニウム（Ａｌ２Ｏ３），酸化珪素（ＳｉＯ２），酸化マグネシウム（ＭｇＯ），酸化カルシウム（ＣａＯ）等の原料粉末に適当な有機バインダ，溶剤等を添加混合してスラリーと成す。このスラリーをドクターブレード法やカレンダーロール法によってグリーンシートと成し、所要の大きさに切断する。次に、その中から選ばれた複数のグリーンシートにおいて凹部１ａ，段差１−Ａ等を形成するために適当な打ち抜き加工を施す。
【００５８】
そして、これらのグリーンシートにタングステン（Ｗ）等の金属粉末を主成分とする金属ペーストを印刷塗布して第一のメタライズ層１ｂ，第一の接続導体２ｂ，第一の導体層１ｄ，第二のメタライズ層１ｃ，第二の接続導体２ｃ，第二の導体層１ｅ等の導体層となる印刷パターンを形成し、基体の上面にもロウ付け接合等の必要に応じて印刷パターンを形成し、次いでこれらの印刷パターンを形成したグリーンシートを積層し、約1600℃の温度で焼成することによって導体層を備えた基体１が作製される。
【００５９】
セラミックスから成る基体１は、有機溶剤や酸性またはアルカリ性等の電解液Ｂ−４に侵され難く、従って電解液Ｂ−４中に基体１から溶け出した不純物が混入して電解液Ｂ−４を劣化させることがない。このため電池性能を良好に維持することができる電池用ケースを得ることができる。
【００６０】
ここで、基体１の底面は上に凸となるように曲面状に反っており、これに伴って凹部１ａの底面１−Ｂも上に凸となるように曲面状に反っている。これにより、凹部１ａの上に凸となった底面１−Ｂを電池用ケースの内部に収容する正電極板Ｂ−１，絶縁シートＢ−３，負電極板Ｂ−２などの電池要素に当接させて下方から押さえることができ、これらの電池要素との電気的接続を確実に行なうように保持することができる。そして、電池要素の全体や部分的に偏った厚みのばらつきがあっても電池要素を確実に下方から押さえて固定させることができる。
【００６１】
また、電池要素を電池用ケース内に載置するために電池要素と凹部１ａの側面との間に隙間が必要であるが、電池要素を上に凸となるように反っている凹部１ａの底面１−Ｂで押さえることにより、可塑性の電池要素が変形して凹部１ａの側面まで充填されることになり、電池要素の充填率が良くなるとともに、電池要素が横方向にずれるのを防止して第一のメタライズ層１ｂ等との電気的な接続が安定するという効果もある。
【００６２】
ここで、凹部１ａの底面１−Ｂの平面度（JIS B 0621による）は0.02ｍｍ〜0.1ｍｍ程度であるのがよい。平面度が0.02ｍｍ未満であると、上に凸となる量が小さくなり、電池要素の全体や偏った部分の厚みのばらつきがある場合、電池要素を確実に下方から押さえるのが困難となる。平面度が0.1ｍｍを超えて大きくなると、上に凸となる量が大きくなり、凹部１ａ内部の容積が減少する点で不都合である。
【００６３】
基板１の底面を上に凸にするための製造方法は、グリーンシートを積層する際の台板に上に凸となった形状のものを用いればよい。または、基体１の凹部１ａの底面１−Ｂとなる平板状のグリーンシートの上側に基体１の凹部１ａの側壁となる枠状のグリーンシートを積層する際の積層圧力を通常より大きくする。これらの方法によって、基体１の底面が上に凸に反っている形状に形成することができる。
【００６４】
また好ましくは、基体１の底面を上に凸にする製造方法として、図２に示すように、凹部１ａの底面１−Ｂの外周部に溝５を設けておくのがよい。溝５の形成方法は、グリーンシートの段階で溝５となる打ち抜きを形成しておき、この打ち抜きが形成されたグリーンシートを積層していくことで、溝５によって薄くなった底面１−Ｂが上に凸に突出し、その結果、基体１の底面の中央部が上に凸に反っている形状に形成される。
【００６５】
第一の導体層１ｄは、第一の接続導体２ｂを介して第一のメタライズ層１ｂに電気的に接続され、第二の導体層１ｅは第二の接続導体２ｃを介して第二のメタライズ層１ｃに電気的に接続される。そして、第一の導体層１ｄは電池の正極として用いられ、第二の導体層１ｅは負極として用いられる。この第一の導体層１ｄおよび第二の導体層１ｅが外部電気回路基板の表面の配線導体に半田を介して接合されることによって電池が外部の電気回路と電気的に接続される。
【００６６】
なお、図１，２には、第一の接続導体２ｂおよび第二の接続導体２ｃは、基体１の内部を貫通する貫通導体の例によって示されているが、貫通導体以外にも第一のメタライズ層１ｂから基体１の側面にかけて導出され、基体１の側面に形成された側面導体を介して第一の導体層１ｄに接続される第一の接続導体２ｂとし、第二のメタライズ層１ｃも第二のメタライズ層１ｃから基体１の側面にかけて導出され、基体１の側面に形成された他の側面導体を介して第二の導体層１ｅに接続される第二の接続導体２ｃとしてもよい。
【００６７】
また、第一の接続導体２ｂおよび第二の接続導体２ｃは、それぞれ１本ずつ形成されていてもよいし、複数本ずつ形成されていてもよい。好ましくは、第一の接続導体２ｂおよび第二の接続導体２ｃは複数本ずつ形成されているのがよく、第一の接続導体２ｂおよび第二の接続導体２ｃにおいて電気抵抗を小さくして電池性能をより優れたものとすることができる。
【００６８】
好ましくは、第二の接続導体２ｃの断面積を第一の接続導体２ｂの断面積よりも大きくすることよって、第一の接続導体２ｂの抵抗値と第二の接続導体２ｃの抵抗値とを近づけることもできる。また、第一の接続導体２ｂおよび第二の接続導体２ｃをそれぞれ複数の導体から成るものとしてもよい。
【００６９】
なお、第一および第二の接続導体２ｂ，２ｃは、図１では第一および第二の導体層１ｄ，１ｅに対してそれぞれ垂直に連なる一本の層間接続導体（貫通導体）として示されているが、基体１の下面に形成された第一および第二の導体層１ｄ，１ｅと平行な方向の内部配線層と垂直な層間接続導体とを複数組み合わせて形成されていてもよく、これによって基体１内に電気回路を引き回すことができるとともに、第一および第二の導体層１ｄ，１ｅを基体１の所望の位置に形成することができる。
【００７０】
また、このようにして作製された基体１に形成されたこれら導体層の露出した表面には、耐食性に優れかつ半田との濡れ性に優れる金属、具体的には厚さ１〜12μｍのニッケル（Ｎｉ）層および厚さ0.3〜５μｍの金（Ａｕ）層をめっき法等により順次被着しておくのがよい。これにより、特に電池用ケースの内部に形成された第一のメタライズ層１ｂおよび第２のメタライズ層１ｃの金属成分が充放電による電圧で容易に溶出するのを有効に抑制できる。また、第一および第二の導体層１ｄ，１ｅにおいては半田との濡れ性が良くなり、外部電気回路基板上の配線導体との半田を介した接合強度がより強固なものとなる。
【００７１】
Ｎｉ層の厚さが１μｍ未満であれば、メタライズ層から成る各導体の酸化腐蝕を防止したり導体から金属成分が溶出したりするのを有効に抑制するのが困難になって電池性能が劣化し易くなる。また、Ｎｉ層の厚さが12μｍを超えると、めっき形成に多大の時間がかかることになり量産性が低下し易くなるとともに電気抵抗が大きくなり易い。
【００７２】
また、Ａｕ層の厚さが0.3μｍ未満であれば、均一な厚さのＡｕ層を形成するのが困難となり、Ａｕ層が極めて薄い部位やあるいはＡｕ層が形成されていない部位が生じ易く、酸化腐食の防止効果や半田との濡れ性が低下し易くなる。Ａｕ層の厚さが５μｍを超えると、めっき形成に多大の時間がかかることになり量産性が低下し易くなる。
【００７３】
また、凹部１ａの内側に位置する第一および第二のメタライズ層１ｂ，１ｃには、最表層にアルミニウム（Ａｌ）層が形成されているのがよく、第一および第二のメタライズ層１ｂ，１ｃを凹部１ａの内側に封入される電解液に侵されにくいものとできる。Ａｌ層は、電解めっき法や無電解めっき法等のめっき法やスパッタリング等の蒸着法によって形成される。厚さは0.1〜５μｍであるのが好ましい。0.1μｍ未満であれば、均一な厚さのＡｌ層を形成するのが困難となり、Ａｌ層が極めて薄い部位やあるいはＡｌ層が形成されていない部位が生じ易く、酸化腐食の防止効果や半田との濡れ性が低下し易くなる。またＡｌ層の厚さが５μｍを超えると、めっき形成や蒸着形成に多大の時間がかかることになり量産性が低下し易くなる。
【００７４】
また、基体１の上面には、Ａｌ，Ｃｕ，カーボン（Ｃ），鉄（Ｆｅ）−Ｎｉ−コバルト（Ｃｏ）合金，Ｆｅ−Ｎｉ合金等の金属や樹脂等から成る板状の蓋体３がＡｌロウ，銀（Ａｇ）ロウ，Ａｕ−錫（Ｓｎ）半田等を用いたロウ付けや樹脂接着材等を用いた接着等の方法によって接合される。
【００７５】
蓋体３は下に凸となるように曲面状に反っている。これにより、蓋体３の下に凸となった下側主面３ａを電池用ケースの内部に収容する電極板などの電池要素に当接させて上方から押さえることができ、これらの電池要素との接続を確実に行なうように保持することができる。また、蓋体３は下に凸となるように曲面状に湾曲されていることから、蓋体３を上下方向に弾性変形させ易くすることができ、電池要素の全体や偏った部分の厚みのばらつきがあっても電池要素を確実に上方から押さえて固定させることができる。
【００７６】
ここで、蓋体３の下面３ａの平面度（JIS B 0621による）は0.02ｍｍ〜0.1ｍｍ程度であるのがよい。平面度が0.02ｍｍ未満であると、下に凸となる量が小さくなり、蓋体３を上下方向に弾性変形させ難くなり、電池要素を確実に上方から押さえて固定させるのが困難となる場合がある。平面度が0.1ｍｍを超えて大きくなると、下に凸となる量が大きくなり、凹部１ａ内部の容積が減少する点で不都合である。
【００７７】
蓋体３は金属から成る場合、蓋体３となる金属板に従来周知のプレス加工を施すことによって形成される、または、蓋体３となる金属板に従来周知のエッチング加工を施すことによって形成してもよい。
【００７８】
蓋体３をプレス加工により形成する場合、蓋体３を打ち抜くためのプレス圧力を通常よりも大きくし、蓋体３の下面３ａが下に凸となるようにする。また、蓋体３をエッチング加工により形成する場合、蓋体３の上下のエッチング量を同一とせずエッチング量を変えることで、蓋体３の下面３ａが下に凸となるようにする。
【００７９】
また、蓋体３が電解液Ｂ−４に侵されやすいＣｕやＦｅ−Ｎｉ−Ｃｏ合金，Ｆｅ−Ｎｉ合金等の金属から成る場合は、その下側主面にＡｌ等の電解液Ｂ−４に侵され難い材料をスパッタリング等の蒸着法等によって0.1〜１μｍの厚さで被着させておけばよい。蓋体３を金属から成るものとした場合は、長期にわたって弾性を有することから、電池要素を長期にわたって強固に押さえ続けることができ、長期にわたって極めて正常かつ安定に作動する電池とすることができる。
【００８０】
また、蓋体３が樹脂から成る場合、金型内に射出成型することによって所定形状に形成される。蓋体３が樹脂から成る場合、例えば、エポキシ樹脂，ポリフェニレンサルファイト（ＰＰＳ），液晶ポリマー（ＬＣＰ）等を用いることができる。蓋体３を樹脂から成るものとした場合は、金型内に射出成型することで効率良く大量に製造することができ、極めて量産性に優れたものとすることができるとともに、電解液Ｂ−４に侵され難い材料であることから長期にわたって正常かつ安定に作動する電池とすることができる。
【００８１】
次に、本発明の電池用ケースの実施の形態の他の例を図３に示す。同図において、（ａ）は電池用ケースの断面図、（ｂ）は電池用ケースの平面図である。なお、上記実施の形態の一例と対応する部位には同じ符号が付されている。
【００８２】
本発明の電池用ケースの実施の形態の他の例においては、上面の中央部に直方体状の凹部１ａが形成され、下面に第一の導体層１ｄおよび第二の導体層１ｅが互いに独立して形成されたセラミックスから成る基体１と、凹部１ａの底面に形成された第一のメタライズ層１ｂと、基体１の上面の凹部１ａの周囲に形成された第二のメタライズ層１ｃと、第一のメタライズ層１ｂから第一の導体層１ｄにかけて形成された第一の接続導体２ｂと、第二のメタライズ層１ｃから第二の導体層１ｅにかけて形成された第二の接続導体２ｃと、凹部１ａを覆うようにして接合されるとともに少なくとも下側主面が導電性とされた板状の蓋体３とを具備しており、基体１の底面は上に凸となるように曲面状に反っているとともに蓋体３は下に凸となるように曲面状に反っている。
【００８３】
また、図７はこの電池用ケースを用いた本発明の電池の実施の形態の他の例を示し、Ｂ−１は第一のメタライズ層１ｂの上面に載置されて電気的に接続された正電極板、Ｂ−２は正電極板Ｂ−１の上面に電解液Ｂ−４を含浸した絶縁シートＢ−３を介して密着するように載置された負電極板、３は凹部１ａを覆うようにして基体１の上面に接合されるとともに下側主面３ａが負電極板Ｂ−２に当接されて電気的に接続され、下側主面３ａの外周部が第二のメタライズ層１ｃに接合されて電気的に接続された蓋体である。Ｄは電池を示す。
【００８４】
この形態によれば、上記実施の形態の一例による電池用ケースおよび電池Ｃの作用効果に加えて、基体１の上面の凹部１ａの周囲に形成された第二のメタライズ層１ｃを具備していることから、内側面と底面との間に形成された段差１−Ａを省略できるので、凹部１ａ内を広く有効に活用することができ、電池用ケースの外形を小型化することができる。
【００８５】
基体１は図１の電池用ケースと同様のセラミックスから成り、蓋体３はＡｌ，Ｃｕ，カーボン，Ｆｅ−Ｎｉ−Ｃｏ合金，Ｆｅ−Ｎｉ合金等の導電性の材料から成る。または、エポキシ樹脂，ＰＰＳ，ＬＣＰ等の樹脂から成り、下側主面にＡｌ等により導電性とされる金属層３ｃが形成されている。
【００８６】
好ましくは、蓋体３は絶縁材である樹脂から成り、基体１側の下側主面３ａのほぼ全面にＡｌ等の金属層３ｃが形成されているのがよい。そして、下側主面３ａの金属層３ｃが負電極板Ｂ−２に当接されて電気的に接続され、下側主面３ａの外周部が第二のメタライズ層１ｃに接合されて電気的に接続されて基体１の上面に凹部１ａを覆うようにして接合される。この構成によって、蓋体３の上側主面が導電性とされず、蓋体３の上面に不要な電流が流れるのを防止することができる。従って、蓋体３の上側主面に導電性の部材が接触しても電気的短絡等の不具合が発生するのを有効に防止できる。
【００８７】
さらに、本発明の電池用ケースの実施の形態の他の例を図４に示す。同図において、（ａ）は電池用ケースの断面図、（ｂ）は電池用ケースの平面図である。また、この電池用ケースを用いた本発明の電池を図８に示す。これらの図において、他の例と対応する同じ部位には、同じ符号が付されている。
【００８８】
この例による本発明の電池用ケースは、上面の中央部に直方体状の凹部１ａが形成され、下面に第一の導体層１ｄが形成されたセラミックスから成る基体１と、凹部１ａの底面に形成された第一のメタライズ層１ｂと、第一のメタライズ層１ｂから第一の導体層１ｄにかけて形成された第一の接続導体２ｂと、凹部１ａを覆うようにして接合されるとともに導電性部材から成る板状の蓋体３とを具備しており、基体１の底面は上に凸となるように反っているとともに蓋体３は下に凸となるように反っている。
【００８９】
この形態によれば、上記実施の形態の一例および他の例による電池用ケースおよび電池Ｃ，Ｄの作用効果に加えて、凹部１ａを覆うようにして接合されるとともに導電性部材から成る蓋体３を具備していることから、蓋体３を負電極に併用することができ、凹部１ａの内側面と底面との間に形成される段差１−Ａ，第二のメタライズ層１ｃ，第二の導体層１ｅ，および第二の接続導体２ｃの形成を省略できるので、基体１を小型化できるとともに基体１の製造工程を簡略化でき量産に適するものとすることができる。
【００９０】
基体１は図１の電池用ケースと同様のセラミックスから成り、蓋体３はＡｌ，Ｃｕ，カーボン，Ｆｅ−Ｎｉ−Ｃｏ合金，Ｆｅ−Ｎｉ合金等の導電性部材から成る。
【００９１】
この形態において、好ましくは、図４，８に示すように、基体１の上面には凹部１ａを取り囲むようにしてＦｅ−Ｎｉ−Ｃｏ合金やＡｌ等から成る金属製の枠状部材４がＡｇロウ，Ａｌロウ等を介してロウ付けされているのがよい。この構成により、枠状部材４の上に金属製の蓋体３を載せ、蓋体３をシーム溶接法等の溶接法を採用することによって、作業効率よくかつ確実に基体１の凹部１ａの内部を気密に封止することができる。
【００９２】
また、この場合、基体１の上面の枠状部材４がロウ付けされる部位には、Ｗ等から成るメタライズ層が形成され、その表面にＮｉ等のめっきが施されているのがよく、この構成により基体１上面のロウ材との濡れ性が良くなり、基体１上面と枠状部材４との接合強度がより強固なものとなる。また、枠状部材４は、Ｆｅ−Ｎｉ−Ｃｏ合金の表面にＡｌ層を形成したものでもよく、Ａｌ層により電解液に侵されにくいものとできる。
【００９３】
次に、本発明の電池について以下に詳細に説明する。なお、図５は図１の電池用ケースを用いた本発明の電池の実施の形態の一例（これを電池Ｃとする）を示す断面図、図６は図２の電池用ケースを用いた本発明の電池の実施の形態の一例（これを電池Ｃとする）を示す断面図、図７は図３の電池用ケースを用いた本発明の電池の実施の形態の他の例（これを電池Ｄとする）を示す断面図、図８は図４の電池用ケースを用いた本発明の電池の実施の形態の他の例（これを電池Ｅとする）を示す断面図である。ここで、Ｂ−１は正電極板、Ｂ−２は負電極板、Ｂ−３は絶縁シート、Ｂ−４は電解液、Ｃ，Ｄ，Ｅは電池である。
【００９４】
本発明の電池Ｃは、本発明の電池用ケースと、第一のメタライズ層１ｂの上面に載置されて電気的に接続された正電極板Ｂ−１と、この正電極板Ｂ−１の上面に電解液Ｂ−４を含浸した絶縁シートＢ−３を介して密着するように載置されるとともに一端部が第二のメタライズ層１ｃに電気的に接続された負電極板Ｂ−２と、蓋体３の下側主面３ａが負電極板Ｂ−２に当接されるとともに凹部１ａを覆うようにして基体１の上面に接合された蓋体３とを具備している。
【００９５】
本発明の電池Ｄは、本発明の電池用ケースと、第一のメタライズ層１ｂの上面に載置されて電気的に接続された正電極板Ｂ−１と、この正電極板Ｂ−１の上面に電解液Ｂ−４を含浸した絶縁シートＢ−３を介して密着するように載置された負電極板Ｂ−２と、少なくとも下側主面が導電性とされ、凹部１ａを覆うようにして基体１の上面に接合されるとともに下側主面３ａが負電極板Ｂ−２に当接されて電気的に接続され、下側主面３ａの外周部が第二のメタライズ層１ｃに接合されて電気的に接続された蓋体３とを具備している。
【００９６】
本発明の電池Ｅは、本発明の電池用ケースと、第一のメタライズ層１ｂの上面に載置されて電気的に接続された正電極板Ｂ−１と、この正電極板Ｂ−１の上面に電解液Ｂ−４を含浸した絶縁シートＢ−３を介して密着するように載置された負電極板Ｂ−２と、凹部１ａを覆うようにして基体１の上面に接合されるとともに下側主面３ａが負電極板Ｂ−２に当接されて電気的に接続された蓋体３とを具備している。
【００９７】
正電極板Ｂ−１は、ＬｉＣｏＯ２やＬｉＭｎ２Ｏ４等から成る正極活物質およびアセチレンブラックや黒鉛等の導電材を含む板状やシート状のものであり、また、負電極板Ｂ−２はコークスや炭素繊維等の炭素材料から成る負極活物質を含む板状やシート状のものである。
【００９８】
正電極板Ｂ−１は、上記正極活物質に上記導電材を加えたものにポリテトラフルオロエチレンやポリフッ化ビニリデンなどのバインダを添加、混合してスラリー状となし、これを周知のドクターブレード法等を用いてシート状に成形し、次いでこのシートを例えば四角形状に裁断して作製される。
【００９９】
同様にして負電極板Ｂ−２は、上記負極活物質にポリテトラフルオロエチレンやポリフッ化ビニリデンなどのバインダを添加、混合してスラリー状となし、これを周知のドクターブレード法等を用いてシート状に成形し、次いでこのシートを例えば四角形状に裁断して作製される。
【０１００】
なお、上記において、電池の第一のメタライズ層１ｂ側に正電極板Ｂ−１を配置し、蓋体３側に負電極板Ｂ−２を配置する例を示したが、必ずこの配置にすべきであるというものではない。すなわち、第一のメタライズ層１ｂ側に負電極板Ｂ−２を配置し、蓋体３側に正電極板Ｂ−１を配置してもよい。
【０１０１】
また、絶縁シートＢ−３は、ポリオレフィン繊維製の不織布やポリオレフィン製の微多孔膜などから成り、電解液Ｂ−４が含浸されるとともに正電極板Ｂ−１と負電極板Ｂ−２との間に配置されることにより、正電極板Ｂ−１と負電極板Ｂ−２とが直接接触することを防止するとともに正電極板Ｂ−１と負電極板Ｂ−２との間の電解液Ｂ−４の移動を可能として電流が流れることを可能とする。
【０１０２】
電解液Ｂ−４は、湿気をほとんど含まない例えばアルゴン（Ａｒ）ガスを充填した容器内でシリンジなどの注入手段を用いて凹部１ａの上面から電池Ｃ，Ｄ，Ｅの内部に注入される。そして、注入後に基体１の上面に蓋体３を溶接接合することによって、電池Ｃ，Ｄ，Ｅの内部を気密に封止することができる。
【０１０３】
電解液Ｂ−４は、例えば、四フッ化ホウ酸リチウム等のリチウム塩や塩酸，硫酸，硝酸等の酸をジメトキシエタンやプロピレンカーボネート等の有機溶媒に溶解したものである。
【０１０４】
このような電解液Ｂ−４は、腐食性や溶解性の高いものであるが、本発明の電池用ケースを用いることにより、基体１は耐薬品性に優れているため、有機溶剤や酸等を含む電解液Ｂ−４に侵され難く、電解液Ｂ−４中に電池用ケースから溶け出した不純物が混入して電解液Ｂ−４を劣化させることもなく、電池性能を良好に維持することができる。
【０１０５】
また、従来用いられていた金属用ケースでは図９に示すように正極缶11と負極缶12とをそれらの周囲をポリプロピレン樹脂等から成るガスケット15を介してかしめることによって一体化しており、このかしめた部位があるために従来の電池では正極缶11と負極缶12とセパレータ14とを合わせたかしめ部に２ｍｍ前後の寸法が必要であったのに対して、本発明によれば、かしめ部がないために電池Ｃ，Ｄ，Ｅの外形を小さくすることができ、携帯機器の小型化に大きく寄与できるものとなる。また、気密信頼性が高く、量産性に優れるものとなる。
【０１０６】
また、気密性および耐熱性に優れる基体１の上面に蓋体３をポリプロピレンのような樹脂接着剤や半田接合，シーム溶接接合等により強固に接合できるので、電解液Ｂ−４を良好に収容することができ、温度サイクル等に曝された場合でも隙間が生じて電解液が漏れることがない。また、気密性が維持されるので、電池性能を劣化させる水分や酸素等が外部から電解液Ｂ−４中に進入するのを有効に抑制することができる。
【０１０７】
さらに、これらの電池用ケースを用いることによって第一のメタライズ層１ｂが凹部１ａの底面１−Ｂに形成されることによって正電極板Ｂ−１を接続させ易くし、この正電極板Ｂ−１の上面に電解液Ｂ−４を含浸した絶縁シートを介して密着するように載置するとともに第二のメタライズ層１ｃに接続された、または蓋体３の下側主面に接続された負電極板Ｂ−２を載置することができ、量産性に非常に優れたものとなる。
【０１０８】
またさらには、凹部１ａの底面１−Ｂは上に凸となるように反っていることで、底面１−Ｂを正電極板Ｂ−１などの電池要素に当接させて下方から押さえることができるとともに、蓋体３の中央部の下面３ａを電池用ケースの内部に収容する負電極板Ｂ−２などの電池要素に当接させて上方から押さえることができ、電池要素の充填率が良くなるとともに、電池要素が横方向にずれるのを防止して第一のメタライズ層１ｂ等との電気的な接続が安定する。
【０１０９】
また、蓋体３は下面３ａが下に凸となるように湾曲されていることから、蓋体３を上下方向に弾性変形させ易くすることができ、電池要素の全体の厚みや偏った厚みのばらつきがあっても電池要素を確実に上方から押さえて固定させることができる。その結果、所望の電池性能を発揮させることができる。金属板等から成る可撓性の蓋体３の場合、蓋体３は、装着後に変形して上に凸の状態になる場合もある。好ましくは、装着後も下に凸の状態またはちょうど平面になるような蓋体３とする。
【０１１０】
図７の電池Ｄおよび図８の電池Ｅでは、蓋体３の下面３ａを負電極板Ｂ−２の上面に当接させて電気的に接続させることができ、蓋体３の下面３ａと負電極板Ｂ−２とを広い面積で接続させることによって負電極板Ｂ−２と蓋体３との間の抵抗を少なくすることができ、負電極板Ｂ−２と蓋体３との間で電気的損失を発生させることなく効率よく充放電することができるので、電気的特性に優れ、より信頼性が高く、長期間に亘って安定して充放電することができるものとなる。
【０１１１】
また、図８の電池Ｅでは、蓋体３を電池の負電極として機能させることができることから、外部接続端子部材を電池の上下に配置して、電池を挟み込むようにして外部接続端子部材を接続させて、外部接続端子部材に接続できるものとなる。また、外部接続端子部材に突起を設け、基体１の底面の湾曲されてなる凹みと蓋体３の上側主面の湾曲されてなる凹みに外部接続端子部材の突起が嵌まるようにして外部接続端子部材を接続させれば、電池Ｅが外部接続端子部材から外れ難いようにすることもできる。
【０１１２】
好ましくは、本発明の電池Ｃ，Ｄ，Ｅは、正電極板Ｂ−１が、第一のメタライズ層１ｂの上面を覆うように接着された導電性粒子を含有する樹脂層Ｂ−５を介して第一のメタライズ層１ｂに接続されるのがよい。
【０１１３】
導電性粒子を含有する樹脂層Ｂ−５は、導電性粒子とこの導電性粒子同士を結着するバインダ樹脂とから成る。樹脂層Ｂ−５が導電性粒子とバインダ樹脂とを含有することで、電解液Ｂ−４と反応することがないとともに電気伝導性を有する樹脂層Ｂ−５となる。すなわち、導電性粒子は、高い電気伝導性を有するとともに、化学的に安定である等の特性を有しているため、樹脂層Ｂ−５は電気伝導性を有するものとなる。
【０１１４】
導電性粒子とバインダ樹脂との混合比は、特に限定されるものではない。すなわち、電池Ｃ，Ｄ，Ｅを形成したときに、導電性粒子の含有量が少なすぎて電気抵抗が大きくなり過ぎず、バインダ樹脂により導電性粒子同士を十分結着できる混合比の範囲で混合すればよい。導電性粒子の含有量が増加すると、樹脂層Ｂ−５の導電性が高くなり、導電性粒子の含有量が減少すると導電性が低下する。また、導電性粒子の含有量が増加すると、相対的にバインダ樹脂の含有量が低下し、バインダ樹脂により導電性粒子同士を十分結着して担持できなくなる。
【０１１５】
バインダ樹脂は、導電性粒子を結着できれば特に限定されるものではなく、例えば、フェノール系樹脂やポリフッ化ビニリデン（ＰＶＤＦ）やカルボキシメチルセルロース（ＣＭＣ）等を挙げることができる。
【０１１６】
導電性粒子は、その種類が特に限定されるものではなく、炭素粒子やＡｌ粉末等の電解液Ｂ−４と反応しない金属粒子から成る。また、導電性粒子が炭素粒子から成る場合は、少なくともカーボンブラック、グラファイトの１種を含有することが好ましい。少なくともカーボンブラック、グラファイトの１種を含有することで、樹脂層Ｂ−５に十分な電気伝導性が確保される。
【０１１７】
そして、導電性粒子とバインダ樹脂とを混合してペースト状となし、これを第一のメタライズ層１ｂの上面から凹部１ａの底面にかけて塗布した後に、乾燥させて接着させることにより樹脂層Ｂ−５を形成する。または、ペースト状の混合物を周知のドクターブレード法等を用いてシート状に成形し、完全に乾燥する前に第一のメタライズ層１ｂおよびその周辺を覆うことのできる大きさに裁断し、次いでこのシートを第一のメタライズ層１ｂおよび凹部１ａの底面にかけて十分密着させて樹脂層Ｂ−５を形成する。
【０１１８】
このように第一のメタライズ層１ｂを覆うように樹脂層Ｂ−５を接着し、その上に正電極板Ｂ−１を樹脂層Ｂ−５を介して第一のメタライズ層１ｂに電気的に接続させた場合は、腐食性の電解液Ｂ−４が炭素樹脂層に遮られて第一のメタライズ層１ｂに接触しなくなり、めっき処理等による第一のメタライズ層１ｂの電解液Ｂ−４に対する金属めっき等による表面保護を簡素なものにすることができる。
【０１１９】
また、電解液Ｂ−４が第一のメタライズ層１ｂの形成部位に浸入しにくくなるので、電解液Ｂ−４が第一のメタライズ層１ｂの形成部位から第一の内部導体２ｂを通じて電池Ｃ，Ｄ，Ｅの外部に電解液が漏出する虞を少なくすることができる。また、樹脂層Ｂ−５が弾性を有することから、正電極板Ｂ−１を基体１に強く押し付けたとしても樹脂層Ｂ−５で緩衝されるので、基体１または正電極板Ｂ−１が破損するのを有効に防止できる。
【０１２０】
好ましくは、図６に示すように、凹部１ａの第一のメタライズ層１ｂが形成されている底面１−Ｂの外周部に溝５が設けられている電池用ケースを用いて電池Ｃ，Ｄ，Ｅを作製する場合、図６に示すように樹脂層Ｂ−５を第一のメタライズ層１ｂだけでなく第一のメタライズ層１ｂの上面から凹部１ａの側面にかけて第一のメタライズ層１ｂや溝５を覆うようにして設けるとよく、この構成により、基体１と樹脂層Ｂ−５とが接着されている境界面のわずかな隙間を伝って第一のメタライズ層１ｂに到達しようとする電解液Ｂ−４をより確実に遮断することができる。
【０１２１】
すなわち、凹部１ａの底面から基体１と樹脂層Ｂ−５との境界面を経由しての第一のメタライズ層１ｂまでの経路の距離が長くなって電解液Ｂ−４を有効に遮断するとともに、凹部１ａの底面において溝５が形成されているために、基体１と樹脂層Ｂ−５との境界面に形成される経路が屈曲路となり、この屈曲部が基体１と樹脂層Ｂ−５との境界面を伝って第一のメタライズ層１ｂに到達しようとする電解液Ｂ−４を確実に遮断するためである。その結果、第一のメタライズ層１ｂに腐食性の電解液Ｂ−４が触れにくくなるとともに、第一の内部導体２ｂを通じて電池Ｂ，Ｃ，Ｄの外部に電解液Ｂ−４が漏れるのをより確実に防止することができる。
【０１２２】
また好ましくは、樹脂層Ｂ−５は、蓋体３の下面や第二のメタライズ層１ｃの表面を覆うように設けられていてもよく、負電極板Ｂ−２は、この樹脂層Ｂ−５を介して第二のメタライズ層１ｃまたは蓋体３の下面の導電性部分に接続されてもよい。この構成により、蓋体３の下面や第二のメタライズ層１ｃの表面が腐食性の電解液Ｂ−４に直接接触しないようにできるとともに、負電極板Ｂ−２を樹脂層Ｂ−５を介して蓋体３で弾性的に保持することができる。これにより、負電極板Ｂ−２をクラック等で破損させることなく、電池Ｃ，Ｄ，Ｅ内部の電池要素を位置ズレしないように拘持することができる。
【０１２３】
次に、本発明の電気二重層キャパシタ用ケースおよび電気二重層キャパシタＣ，Ｄ，Ｅは、上記電池用ケースおよび電池Ｃ，Ｄ，Ｅと同様の構成およびその作用効果を有するものである。
【０１２４】
すなわち、本発明の電気二重層キャパシタ用ケースは、図１に示すように、上面の中央部に直方体状，角柱状または円柱状等の凹部１ａが形成され、下面に第一の導体層１ｄおよび第二の導体層１ｅが互いに独立して形成されたセラミックスから成る基体１と、凹部１ａの底面に形成された第一のメタライズ層１ｂと、凹部１ａの内側面と底面との間に形成された段差１−Ａの上面に形成された第二のメタライズ層１ｃと、第一のメタライズ層１ｂから第一の導体層１ｄにかけて形成された第一の接続導体２ｂと、第二のメタライズ層１ｃから第二の導体層１ｅにかけて形成された第二の接続導体２ｃと、凹部１ａを覆うようにして接合される板状の蓋体３とを具備しており、基体１の底面は上に凸となるように反っているとともに蓋体３は下に凸となるように反っているものである。
【０１２５】
また、本発明の電気二重層キャパシタ用ケースは、図２の他の例に示されるように、上面の中央部に直方体状の凹部１ａが形成され、下面に第一の導体層１ｄおよび第二の導体層１ｅが互いに独立して形成されたセラミックスから成る基体１と、凹部１ａの底面に形成された第一のメタライズ層１ｂと、基体１の上面の凹部１ａの周囲に形成された第二のメタライズ層１ｃと、第一のメタライズ層１ｂから第一の導体層１ｄにかけて形成された第一の接続導体２ｂと、第二のメタライズ層１ｃから第二の導体層１ｅにかけて形成された第二の接続導体２ｃと、凹部１ａを覆うようにして接合されるとともに少なくとも下側主面が導電性とされた板状の蓋体３とを具備しており、基体１の底面は上に凸となるように曲面状に反っているとともに蓋体３は下に凸となるように曲面状に反っている。
【０１２６】
また、本発明の電気二重層キャパシタ用ケースは、図４のさらに他の例に示されるように、上面の中央部に直方体状の凹部１ａが形成され、下面に第一の導体層１ｄが形成されたセラミックスから成る基体１と、凹部１ａの底面に形成された第一のメタライズ層１ｂと、第一のメタライズ層１ｂから第一の導体層１ｄにかけて形成された第一の接続導体２ｂと、凹部１ａを覆うようにして接合されるとともに導電性部材から成る板状の蓋体３とを具備しており、基体１の底面は上に凸となるように反っているとともに蓋体３は下に凸となるように反っている。
【０１２７】
また、本発明の電気二重層キャパシタＣ，Ｄ，Ｅは、図５〜図８に示すように、上記構成の電気二重層キャパシタ用ケースと、第一のメタライズ層１ｂの上面に載置されて電気的に接続された第一の電極Ｂ−１と、第一の電極Ｂ−１の上面に電解液Ｂ−４を含浸した絶縁シートＢ−３を介して密着するように載置されるとともに一端部が第二のメタライズ層１ｃに電気的に接続された第二の電極Ｂ−２と、下側主面が第二の電極Ｂ−２に当接されるとともに凹部１ａを覆うようにして基体１の上面に接合された蓋体３とを具備しているものである。
【０１２８】
本発明の電気二重層キャパシタ用ケースおよび電気二重層キャパシタＣ，Ｄ，Ｅは、上記電池用ケースおよび電池と同様の構成およびその作用効果を有する。したがって、詳細説明における重複部分は省略する。
【０１２９】
第一の電極Ｂ−１および第二の電極Ｂ−２は、例えばフェノール樹脂繊維（ノボロイド繊維）を炭化賦活して得られるものであり、賦活はこの繊維を800〜1000℃の高温雰囲気下で高温水蒸気などの賦活ガスに接触させることにより行われ、炭化物中の揮発成分、あるいは炭素原子の一部をガス化し、主に１〜10ｎｍの微細構造を発達させ内部表面積を１×10６ｍ２／ｋｇ以上にまでする工程で作製される。本発明の電気二重層キャパシタＣ，Ｄ，Ｅは、第一および第二の導体層１ｄ，１ｅにおける極性はなく、第一の導体層１ｄ側を陽極、第二の導体層１ｅ側を陰極として使用できるし、その逆の極性でも使用できる。
【０１３０】
電解液Ｂ−４は、例えば６フッ化リン酸リチウム（ＬｉＰＦ６）などのリチウム塩や、テトラエチルアンモニウムテトラフルオロボレート（（Ｃ２Ｈ５）４ＮＢＦ４）などの第４級アンモニウム塩をプロピレンカーボネート（ＰＣ）やスルホラン（ＳＬＦ）などの溶媒中に溶解したものである。
【０１３１】
また、絶縁シートＢ−３には、例えばガラス繊維やポリフェニレンサルファイド、ポリエチレンテレフタレート、ポリアミド等の耐熱性を有する樹脂等が用いられる。
【０１３２】
そして、電気二重層キャパシタＢは、第一のメタライズ層１ｂの上面に、第一の電極Ｂ−１，絶縁シートＢ−３，第二の電極Ｂ−２，蓋体４が互いに密着するように載置し、電解液Ｂ−４を注入した後に、Ａｌロウ，Ａｇロウ，Ａｕ−Ｓｎ半田等を用いたロウ付けや樹脂接着材等を用いた接着等の方法によって基体１の上面に凹部１ａを覆うように接合され電気二重層キャパシタＣ，Ｄ，Ｅとなる。
【０１３３】
なお、本発明は上述の実施の形態に限定されるものではなく、本発明の要旨を逸脱しない範囲であれば種々の変更は可能である。例えば、本発明では電池用ケースまたは電気二重層キャパシタ用ケースのセラミック基体１の材質をアルミナ質焼結体として説明したが、窒化アルミニウム質焼結体やガラスセラミックス等の他のセラミックスから成っていてもよく、窒化アルミニウム質焼結体から成る場合には作動時の熱を効率よく外部に放散させることができる。
【０１３４】
また、１つの凹部１ａを有する電池用ケースまたは電気二重層キャパシタ用ケースを用いた電池または電気二重層キャパシタＣ，Ｄ，Ｅについて説明したが、複数の凹部１ａを有する電池用ケースまたは電気二重層キャパシタ用ケースとしてもよく、その場合、蓋体３は各凹部１ａをすべて覆う一枚の蓋体３とするか、またはそれぞれの凹部１ａを覆う複数の蓋体３が取着されるようにすればよい。このように複数の凹部１ａを有する電池用ケースを用いる場合には、それぞれの凹部１ａに作製された電池Ｃ，Ｄ，Ｅを並列接続することにより高容量の電池Ｃ，Ｄ，Ｅとすることができ、また、直列接続することにより高電圧を供給することができる電池Ｃ，Ｄ，Ｅとすることができる。
【図面の簡単な説明】
【０１３５】
【図１】（ａ）は本発明の電池用ケースまたは電気二重層キャパシタ用ケースの実施の形態の一例を示す断面図、（ｂ）は（ａ）の平面図である。
【図２】（ａ）は本発明の電池用ケースまたは電気二重層キャパシタ用ケースの実施の形態の他の例を示す断面図、（ｂ）は（ａ）の平面図である。
【図３】（ａ）は本発明の電池用ケースまたは電気二重層キャパシタ用ケースの実施の形態の他の例を示す断面図、（ｂ）は（ａ）の平面図である。
【図４】（ａ）は本発明の電池用ケースまたは電気二重層キャパシタ用ケースの実施の形態の他の例を示す断面図、（ｂ）は（ａ）の平面図である。
【図５】本発明の電池または電気二重層キャパシタの実施の形態の一例を示し、図１の電池用ケースまたは電気二重層キャパシタケースを用いた電池または電気二重層キャパシタの断面図である。
【図６】本発明の電池または電気二重層キャパシタの実施の形態の他の例を示し、図２の電池用ケースまたは電気二重層キャパシタケースを用いた電池または電気二重層キャパシタの断面図である。
【図７】本発明の電池または電気二重層キャパシタの実施の形態の他の例を示し、図３の電池用ケースまたは電気二重層キャパシタケースを用いた電池または電気二重層キャパシタの断面図である。
【図８】本発明の電池または電気二重層キャパシタの実施の形態の他の例を示し、図４の電池用ケースまたは電気二重層キャパシタケースを用いた電池または電気二重層キャパシタの断面図である。
【図９】従来の電池または電気二重層キャパシタの例を示す断面図である。
【符号の説明】
【０１３６】
１：基体
１ａ：凹部
１ｂ：第一のメタライズ層
１ｃ：第二のメタライズ層
１ｄ：第一の導体層
１ｅ：第二の導体層
１−Ａ：段差
１−Ｂ：底面
２ｂ：第一の接続導体
２ｃ：第二の接続導体
３：蓋体
３ａ：下側主面
Ｂ−１：正電極板または第一の電極
Ｂ−２：負電極板または第二の電極
Ｂ−３：絶縁シート
Ｂ−４：電解液
Ｂ−５：樹脂層
Ｃ，Ｄ，Ｅ：電池または電気二重層キャパシタ
【図１】
2006128080.tif 000003
【図２】
2006128080.tif 000004
【図３】
2006128080.tif 000005
【図４】
2006128080.tif 000006
【図５】
2006128080.tif 000007
【図６】
2006128080.tif 000008
【図７】
2006128080.tif 000009
【図８】
2006128080.tif 000010
【図９】
2006128080.tif 000011